【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
袴において、前紐を帯幅に略相当する間隔をおいて上下2本設け、上部前紐は胴を一回りする長さの紐で袴前身頃の上部に縫い付け、下部前紐は上部前紐と略同等の長さに構成し、袴前身頃の両側部分2箇所のみで縫いつけ、且つ縫い付け間が後紐を結び留める結び代となることを特徴とする袴式和服。
【請求項２】
袴において、袴本体の内部に、上端を上部前紐及び後紐の位置に縫い付けた数本の平紐を設け、袴内部の裾には前記平紐に対応して複数個の輪を縫い付け、前記平紐の下部を対応する輪に通して結び固定することにより、裾を窄めて内側に捲り上げる機能を設けたことを特徴とする袴式和服。
【請求項３】
袴本体の折り目に沿って、縫い目を設けたことを特徴とする請求項2に記載の袴式和服。
【手続補正２】
【補正対象書類名】明細書
【補正対象項目名】全文
【補正方法】変更
【補正の内容】
【発明の詳細な説明】
【発明の名称】袴式和服
【技術分野】
【０００１】
本発明は日常生活における利便性を図った袴式和服に関する。
【背景技術】
【０００２】
従来の袴式和服には着物身頃や袴、帯などへの係止具及び固定具を設けて、着用上便利な様に対策を施したものがある（例えば、特許文献1参照。）。
【０００３】
以下、図9〜図12により従来の袴式和服について説明する。図9において従来の袴式和服の着姿を表している。図の様に袴式和服は、長着(着物)、帯、袴より構成される。図10に長着(着物)と帯、図11に袴の前面、図12に袴の後面を表した。
【０００４】
簡単に着用方法の説明をすると、まず長着(着物,図の15)を着て帯(図の16)を締める。長着(着物)の裾の中心(背中心)を捲り上げて、それを帯との間に差し入れ着丈を短くする。次に袴の前身頃を帯の上に被せて、前紐(11部分、斜線で表示)で背の帯の結び目の上で一結びして、さらに帯の結び目の下に引っ掛けつつ帯の下辺の高さで左右からの二重の前紐で袴前身頃を一回りして、背の帯の結び目の下できちんと結ぶ。さらに袴の後身頃の腰板(図の14)を帯の結び目の上に乗せて、後紐(図の13)の左右は二重に袴前身頃を一回りした前紐の前中心へ持ってきて、前紐を絡めて結び、後紐の残りの長さを始末して完成となる。
【特許文献１】特許公開2001−355106
【発明の開示】
【発明が解決しようとする課題】
【０００５】
以上に述べたように従来の袴式和服では、長着(着物)を捲って着丈を短くする等、袴の前紐が計3回も胴に巻くためとても長いので始末が難しく、汚損しやすいこと等、着用にかなりの手間とコツを要する。また長時間の着用では二巻き目の二重の前紐が上がってくるなどの着崩れを起こしやすい。
【０００６】
また、袴の裾は広いので自分で自身の袴の裾を踏んでしまう事も多く、階段の昇降や自転車の運転などには不向きであることなどが、日常生活上の利便性を考えると解決したい課題となってくる。
【０００７】
さらに、着用後は袴の折り目が消え易く、収納時に畳み難いことも挙げられる。
【０００８】
本発明は、着用時間と手間の軽減、より活動的な運動への対応と着崩れ防止、ならびに非着用時の畳み片付けを容易にすることなどにより、日常に袴式和服を着用するに当たっての、利便性を増すことを目的とするものである。
【課題を解決するための手段】
【０００９】
まず、本発明は上記目的を達成するために袴の前紐を上下２本にした。1本は胴を一巻きして背中心で結べる長さの紐で、袴前身頃の最上部に縫い付ける。下方のもう1本の紐は、上の前紐と略同等の長さの紐を上部前紐より帯幅に略相当する間隔をおいた下方に、袴前面両側部分2箇所でのみ縫い付ける。縫い付けた2箇所の間の前紐を、図1等で示す通り、袴の後紐（図の3）を結び留めるための結び代とする。
【００１０】
また、第2の課題解決手段は、袴の前身頃内部と後身頃内部に数本ずつの平紐の上端を上部前紐及び後紐の位置に縫い付ける。さらに、袴本体内部の裾に前記の紐に対応する輪を複数個縫い付ける。前記の数本の紐の下部を複数個ずつの輪を通し結ぶなどして固定することにより、裾を窄めて且つ内側に捲り上げることが可能な機能を設けた。
【００１１】
さらに、第3の課題解決手段として、袴本体の折り目の端を上下に沿って縫い目を設けた。これにより第2の課題解決手段によって捲り上げた場合や活動的運動においても形の損なわれぬ様にした。
【００１２】
そして、長着(着物)も従来の足首(くるぶし)位である着丈より短く、膝の位置ほどの丈としたことも、課題解決手段の補足とする。
【００１３】
上記第1の課題解決手段による作用は次の通りである。すなわち、従来は二巻き目に下方で左右から二重に巻いて後紐の結び代としていた前紐に関する作業が、予め帯幅に略相当する間隔をおいた下方にもう1本の前紐を結び代として縫い付けてあるので、上下2本の前紐を背で固定するだけになり、胴を3巻きするところを上下1巻きずつ計2巻きで済む。よって前紐の長さは、上下の1本あたりでは従来の半分以下の長さにまで短くすることが出来た。
【００１４】
また、第2の課題解決手段による作用としては、裾を捲り上げることにより上下の運動時などに自分で自身の袴の裾を踏んでしまう事を防止した。
【００１５】
さらに、第3の課題解決手段による作用は着用時の運動による着崩れ、型崩れの防止である。
【発明の効果】
【００１６】
上述した様に本発明の袴式和服は、前紐を短く上下2本にしたことにより着用に要する時間を短縮し、紐の長さに起因していた手間や汚損を軽減するとともに、袴の前紐に関する着崩れが完全に防げ、上下2箇所で固定されるので着姿が安定し、日常に手軽な利便性の高い袴式和服を提供できる。
【００１７】
また、従来の袴として楽しむだけでなく、簡単に裾を捲り上げての着用が可能なので、階段の昇降や自転車の運転などの活発な運動に対しても便利になり、地下足袋や脚袢の使用など履物の工夫を合わせてすることでファッションとしての幅も広がる等、着用する機会を拡大する効果を発揮するものである。
【００１８】
さらに、折り目の端に縫い目を付けることにより、着用時の着崩れの防止だけでなく、収納時に折り目正しく畳むことを容易にする効果が挙げられる。
【発明を実施するための最良の形態】
【００１９】
以下、本発明の実施の形態を図1〜図8に基づいて説明する。
【００２０】
図において、1は上部前紐(上側の前紐)、2は下部前紐(下側の前紐)である。上部前紐は袴前身頃の上部で袴前身頃を包む形で縫い付けて、下部前紐は袴下帯の下辺の位置、つまり上部前紐より５ｃｍ位下に２Ａ、２Ｂの袴前身頃両側部分(笹ひだ)でのみ袴身頃に縫い付ける。そして縫い付けた２箇所の間(２Ａ〜２Ｂ間)の下部前紐(図1,3,8の斜線表示の部分)を袴前身頃より離すと共にこの前紐内部には厚めの芯を入れて、ここで後紐を結び留めるときの型崩れ防止の対策とした。3は後紐で上下の前紐を胴に結んだ後、前記のように下部前紐(芯入りの部分)に結び、残りの長さを始末する。4は腰板で、袴後身頃を挟み込んで縫い付けてある。5は長着(着物)で、着用時のはしょる作業を無くす目的で、従来の足首(くるぶし)位である着丈より短く、膝丈ほどの長さとした。6は簡易的な帯で、着物の衿の幅ほどの太さに仕立てた。
【００２１】
図5、図6は袴身頃を透視して内部の様子(4Aは袴止めの箆)を表している。7〜10は裾を捲り上げるための紐で平紐(リボン)が適しており、袴の前身頃内部と後身頃内部にそれぞれ左右の2本ずつ上端を縫い付ける。平紐の上端は袴の前、後身頃と一緒に上部前紐あるいは腰板に挟み込ませて縫い付ける。図5,6,8における7A〜7D、8A〜8D、9A〜9C、10A〜10Cはそれぞれ平紐を通すための裾の輪を表し、例えば右足であれば、7の平紐で7A〜7Dのすべての輪を通し結び固定し前面を、10の平紐で10A〜10Cのすべての輪を通し結び固定して後面を捲り上げる仕組みとした。また、輪の位置は図7に示す通り7A〜7C、8A〜8Cは前身頃のそれぞれの折り目(ひだ)の裾の位置に、7D、8Dは7C,8Cから内股側に同等間隔の位置のそれぞれ裏側(内部)に縫い付ける。9B,10Bも後身頃の左右の折り目(ひだ)の裾の位置に、9A,9C,10A,10Cはその両側に前身頃の折り目(ひだ)の間隔と同等の間隔の位置にそれぞれ裏側(内部)の裾の縫い代に縫い込んで取り付ける。前後左右4本の平紐をそれぞれの裾の輪に通し、その紐先端を例えば紐自体の上部に結ぶことにより、裾を内側に捲くり上げ、図7の様な着姿 (但し図7の斜線部は足を表している。) になる。図8は裾下側から見上げた袴の図を表している。
【００２２】
そして、図の破線はミシンによる縫い目(ステッチ)を表す。特に図8で示す様に、袴前身頃で左右両足の折り目(ひだ)の山各3本とその間の谷各2本、計10本。袴後身頃で折り目(ひだ)の山各1本、計2本。合計で12本の折り目に縫い目(ステッチ)を裾から上部まで施した。従来の和裁技術では縫い目(糸目)を表に出すことを嫌うが、あえて縫い目(ステッチ)をかける事で、折り目(ひだ)の印象の強調と型崩れ防止の対策とした。
【００２３】
以下、上記構成における着用方法を説明する。まず着物(5)を着て、簡易帯(6)を背中で結ぶ。次に帯を隠す様に、その上で袴上部前紐を結び、帯の結び目の下で下部前紐を結ぶ。そして腰板(4)を結び目にのせて(4Aの袴止めの箆を着物と帯の間に差し込み固定する)、左右後紐(3)を下部前紐の2Aと2Bの中間(この部分には厚めの芯が入っている)で下部前紐と一緒に結び、残りの長さを始末する。これで通常の着用は完成する。よって、着用に要する時間と手間が短縮及び軽減され、従来に比べ利便性を高めること出来る。
【００２４】
また裾を捲り上げる方法としては、袴の通常着用の以前か以後に平紐(7〜10)を7は7A〜7D、8は8A〜8D、9は9A〜9C、10は10A〜10Cのそれぞれの輪に通し結ぶ。この時、各平紐の結ぶ位置までの長さは同じにする。従来の袴には無いこの機能を追加することにより、多少活発な運動にも対応でき、着用の機会を拡大させることが出来た。
【図面の簡単な説明】
【００２５】
【図１】本発明の実施形態を示す袴式和服の前面着用図と袴部分後面着用図
【図２】同袴式和服の着物及び簡易帯の部分形態図
【図３】同袴式和服の袴の前面部分形態図
【図４】同袴式和服の袴の後面部分形態図
【図５】同袴式和服の袴の前面内部透視図
【図６】同袴式和服の袴の後面内部透視図
【図７】同袴式和服における捲り上げ着用時の前面着用図と袴部分後面着用図
【図８】同袴式和服の袴を下から見上げた様子を表す形態図
【図９】従来の袴式和服の前面着用図と袴部分後面着用図
【図１０】同長着(着物)及び帯の部分形態図
【図１１】同袴の前面部分形態図
【図１２】同袴の後面部分形態図
【符号の説明】
【００２６】
１                       上部前紐(上側の前紐)
２                       下部前紐(下側の前紐)
２Ａ                     下部前紐右側縫付け部分
２Ｂ                     下部前紐左側縫付け部分
３                       後紐
４                        腰板
４Ａ                     袴止め箆
５                       着物
６                       簡易帯
７                       右足前部分捲り上げ用紐
７Ａ，７Ｂ，７Ｃ，７Ｄ   右足前部分捲り上げ用紐通しの輪
８                       左足前部分捲り上げ用紐
８Ａ，８Ｂ，８Ｃ，８Ｄ   左足前部分捲り上げ用紐通しの輪
９                       左足後部分捲り上げ用紐
９Ａ，９Ｂ，９Ｃ        左足後部分捲り上げ用紐通しの輪
１０                    右足後部分捲り上げ用紐
１０Ａ，１０Ｂ，１０Ｃ  右足後部分捲り上げ用紐通しの輪
１２Ａ                  右笹ひだ
１２Ｂ                  左笹ひだ